(57)【要約】【課題】室外機の底フレーム上に支持部材の取付スペースを確保する必要が無く、異種の室外機間での汎用性を高めることが可能な閉鎖弁用の支持部材を提供する。【解決手段】空気調和装置１の室内機３に冷媒配管を介して接続される閉鎖弁１８，１９を支持するための、室外機２における閉鎖弁用の支持部材であって、上下方向に延伸して配置された室外機２の構造部材２７に対して片持ち状に取り付けられる。支持部材４５は、閉鎖弁１８，１９が固定される固定部６０と、構造部材２７に対して取り付けられる少なくとも２個の脚部６１，６２とを有し、この２個の脚部６１，６２が、固定部６０の基端部から水平方向に分岐して設けられている。【選択図】      図５
2013076519.tif 000002
【特許請求の範囲】
【請求項１】
空気調和装置（１）の室内機（３）に冷媒配管を介して接続される閉鎖弁（１８，１９）を支持するための、室外機（２）における閉鎖弁用の支持部材であって、
上下方向に延伸して配置された前記室外機（２）の構造部材（２７）に対して片持ち状に取り付けられることを特徴とする室外機における閉鎖弁用の支持部材。
【請求項２】
前記閉鎖弁（１８，１９）が固定される固定部（６０）と、前記構造部材（２７）に対して取り付けられる少なくとも２個の脚部（６１，６２）とを有しており、この２個の脚部（６１，６２）が、前記固定部（６０）の基端部から水平方向に分岐して設けられている、請求項１に記載の室外機における閉鎖弁用の支持部材。
【請求項３】
前記脚部（６１，６２）が、上下方向に並べて３個以上設けられている、請求項２に記載の室外機における閉鎖弁用の支持部材。
【請求項４】
水平方向の一方側に分岐する脚部（６１）と、同他方側に分岐する脚部（６２）とが、上下方向に交互に設けられている、請求項３に記載の室外機における閉鎖弁用の支持部材。
【請求項５】
上端の脚部（６１）と下端の脚部（６１）とが、同一方向に分岐している、請求項３又は４に記載の室外機における閉鎖弁用の支持部材。
【請求項６】
上下方向に離間しかつ同一方向に分岐する少なくとも２個の脚部（６１）の先端部同士を繋ぐ連接部（６３）をさらに備えている、請求項３〜５のいずれかに記載の室外機における閉鎖弁用の支持部材。
【請求項７】
前記固定部（６０）と前記脚部（６１，６２）とが一枚の板材から形成されており、
前記脚部（６１，６２）は、前記固定部（６０）の基端部から水平方向に折り返された折り返し片により構成されている、請求項２〜６のいずれかに記載の室外機における閉鎖弁用の支持部材。
【請求項８】
上下方向に延伸して配置された構造部材（２３）と、この構造部材（２３）に取り付けられた請求項１〜７のいずれかに記載の支持部材（４７）と、この支持部材（４７）によって支持された閉鎖弁（１８，１９）と、を備えていることを特徴とする室外機。
【請求項９】
前記構造部材（２７）が支柱である、請求項８に記載の室外機。
【発明の詳細な説明】
【技術分野】
【０００１】
本発明は、室外機における閉鎖弁用の支持部材及びこれを備えた室外機に関する。
【背景技術】
【０００２】
ビル等の建物や一般の住宅において利用される空気調和装置として、室内機と室外機とを備えたセパレートタイプのものが広く普及している。この空気調和装置には、室外機と室内機とにわたって冷媒回路が設けられており、室外機における冷媒回路の末端には、室内機からの冷媒配管を接続するための閉鎖弁が設けられている。この閉鎖弁は、空気調和装置を設置する際に、室内機からの冷媒配管を接続したあとに閉から開へ切り替えることによって、室外機と室内機との間の冷媒の流通を可能にする。
【０００３】
下記特許文献１には、室外機における閉鎖弁の取付構造が開示されている。この閉鎖弁の取付構造は、室外機の底フレームから上方に延びる基部と、この基部に連続し閉鎖弁を固定する固定部とを備えた支持部材を備えている。具体的には、支持部材は、２つの基部が間隔をあけて並べて設けられると共に、固定部が２つの基部の上端を結ぶように水平に設けられ、全体として門型に形成されている。
【先行技術文献】
【特許文献】
【０００４】
【特許文献１】特開２００７−１４７２４７号公報
【発明の概要】
【発明が解決しようとする課題】
【０００５】
特許文献１記載の支持部材は、室外機の底フレーム上に取り付けられるため、底フレームには支持部材を取り付けるためのスペースを確保する必要がある。しかしながら、底フレーム上には圧縮機等の各種機器が搭載されるため、支持部材の存在によって当該機器のレイアウトの自由度が低下するという欠点がある。
【０００６】
また、底フレーム上の機器に対してメンテナンス等を行う場合、底フレームに立設された支持部材の基部が邪魔になる可能性がある。
さらに、特許文献１記載の支持部材は、底フレームから一定の高さでしか閉鎖弁を支持することができないので、閉鎖弁の取り付け高さが異なる異種の室外機の間で共用することができないという欠点もある。
【０００７】
本発明は、底フレーム上に支持部材の取付スペースを確保する必要が無く、また、汎用性を高めることが可能な閉鎖弁用の支持部材及びこれを備えた室外機を提供することを目的とする。
【課題を解決するための手段】
【０００８】
（１）空気調和装置の室内機に冷媒配管を介して接続される閉鎖弁を支持するための、室外機における閉鎖弁用の支持部材であって、
上下方向に延伸して配置された前記室外機の構造部材に対して片持ち状に取り付けられることを特徴とする。
【０００９】
この構成によれば、閉鎖弁用の支持部材が、上下方向に配置された室外機の構造部材に対して片持ち状に取り付けられているので、室外機の底フレーム上に支持部材を取り付けるためのスペースを確保する必要がない。したがって、底フレーム上に搭載される機器のレイアウトの自由度を高めることができる。また、支持部材を底フレームの上方に間隔をあけて配置することができるので、底フレーム上の機器に対してメンテナンス等を行う場合に、支持部材が邪魔になることが少なくなる。また、支持部材は、上下方向に配置された構造部材に対して片持ち状に取り付けられるので、構造部材に対する支持部材の取付位置を上下方向に変えることによって、閉鎖弁の高さを容易に変更することができる。そのため、閉鎖弁の取り付け高さが異なる異種の室外機の間で支持部材を共用することが可能となる。
【００１０】
（２）上記支持部材は、前記閉鎖弁が固定される固定部と、前記構造部材に対して取り付けられる少なくとも２個の脚部とを有しており、この２個の脚部が、前記固定部の基端部から水平方向に分岐して設けられていることが好ましい。
このような構成によって、固定部に対して水平方向に付与される荷重を少なくとも２個の脚部によって好適に受けることができ、支持部材によって安定して閉鎖弁を支持することができる。
【００１１】
（３）前記脚部は、上下方向に並べて３個以上設けられていることが好ましい。
このような構成によって、固定部に対して水平方向に付与される荷重を上下方向に３個以上の脚部によってバランスよく支持することができる。
【００１２】
（４）上記（３）の支持部材において、水平方向の一方側に分岐する脚部と、同他方側に分岐する脚部とは、上下方向に交互に設けられていることが好ましい。
この構成によれば、固定部に対して水平方向に付与される荷重をよりバランスよく支持することができる。
【００１３】
（５）上記（３）又は（４）の支持部材において、上端の脚部と下端の脚部とは、同一方向に分岐していることが好ましい。
このような構成によって、上端の脚部と下端の脚部とが分岐する方向についての支持強度をより高めることができる。
【００１４】
（６）上記（４）又は（５）の支持部材において、上下方向に離間しかつ同一方向に分岐する少なくとも２個の脚部の先端部同士を繋ぐ連接部をさらに備えていることが好ましい。
このような構成によって、上下方向に離間して配置された脚部同士を相互に補強することができる。
【００１５】
（７）前記固定部と前記脚部とが一枚の板材から形成されており、
前記脚部は、前記固定部の基端部から水平方向に折り返された折り返し片により構成されていることが好ましい。
このような構成によって、支持部材を少ない部品点数で簡単に製作することができる。
【００１６】
（８）本発明に係る室外機は、上下方向に延伸して配置された構造部材と、この構造部材に取り付けられた上記（１）〜（７）のいずれかに記載の支持部材と、この支持部材によって支持された閉鎖弁と、を備えていることを特徴とする。
【００１７】
（９）上記室外機において、前記構造部材は支柱であることが好ましい。
【発明の効果】
【００１８】
本発明によれば、底フレーム上に支持部材の取付スペースを確保する必要が無く、閉鎖弁の取付高さが異なる異種の室外機の間で支持部材を共用可能となり、支持部材の汎用性を高めることができる。
【図面の簡単な説明】
【００１９】
【図１】本発明の第１の実施の形態における室外機を有する空気調和装置の冷媒回路を示す模式図である。
【図２】室外機の外観を示す斜視図である。
【図３】室外機の内部の平面図である。
【図４】室外機の側面パネル及びベルマウスを取り外した状態を示す概略的な斜視図である。
【図５】側面パネルを取り外した状態の室外機の下部側を示す概略的な正面図である。
【図６】閉鎖弁用の支持部材を示す斜視図である。
【図７】支持部材の脚部を示す平面図である。
【図８】支持部材の固定部を示す正面図である。
【図９】閉鎖弁を示す側面図である。
【図１０】支持部材の脚部を加工する手順を説明する図である。
【図１１】本発明の第２の実施の形態に係る支持部材の脚部を示す斜視図である。
【図１２】支持部材の脚部を加工する手順を説明する説明図である。
【図１３】本発明の第３の実施の形態に係る支持部材の脚部を示す斜視図である。
【図１４】本発明の第４の実施の形態に係る支持部材の脚部を示す平面図である。
【図１５】本発明の第５の実施の形態に係る支持部材の脚部を示す斜視図である。
【発明を実施するための形態】
【００２０】
図１は、本発明の第１の実施の形態に係る室外機を有する空気調和装置の冷媒回路を示す模式図である。
空気調和装置１は、例えばビル用のマルチタイプの空気調和装置であり、１つ又は複数の室外機２に対して複数の室内機３が並列に接続され、冷媒が流通できるように、冷媒回路１０が形成されている。
【００２１】
室外機２には、圧縮機１１、四路切換弁１２、室外熱交換器１３、室外膨張弁１４、及び送風機２３等が設けられている。また、室内機３には、室内膨張弁１５および室内熱交換器１６等が設けられている。四路切換弁１２と室内熱交換器１６とはガス側冷媒連絡配管１７ａにより接続され、室外膨張弁１４と室内膨張弁１５とは液側冷媒連絡配管１７ｂにより接続されている。室外機２の内部冷媒回路の端末部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。
【００２２】
上記構成の空気調和装置１において、冷房運転を行う場合には、四路切換弁１２が図１において実線で示す状態に保持される。圧縮機１１から吐出された高温高圧のガス状冷媒は、四路切換弁１２を介して室外熱交換器１３に流入し、送風機２３の作動により室外空気と熱交換して凝縮・液化する。液化した冷媒は、全開状態の室外膨張弁１４を通過し、液側冷媒連絡配管１７ｂを通って各室内機３に流入する。室内機３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内に吹き出され、当該室内を冷房する。また、室内熱交換器１６で蒸発して気化した冷媒は、ガス側冷媒連絡配管１７ａを通って室外機２に戻り、圧縮機１１に吸い込まれる。
【００２３】
他方、暖房運転を行う場合には、四路切換弁１２が図１において破線で示す状態に保持される。圧縮機１１から吐出された高温高圧のガス状冷媒は、四路切換弁１２を介して各室内機３の室内熱交換器１６に流入し、室内空気と熱交換して凝縮・液化する。冷媒の凝縮によって加熱された室内空気は、室内ファンによって室内に吹き出され、当該室内を暖房する。室内熱交換器１６において液化した冷媒は、全開状態の室内膨張弁１５から液側冷媒連絡配管１７ｂを通って室外機２に戻る。室外機２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１１に吸い込まれる。
【００２４】
図２は、室外機２の外観を示す斜視図、図３は、室外機２の内部の平面図、図４は、室外機２の側面パネル２９及びベルマウス３０を取り外した状態を示す斜視図である。本実施の形態の室外機２は、室外機本体（ケーシング）５と、この室外機本体５に内蔵された室外熱交換器１３、圧縮機１１、四路切換弁１２等の冷媒回路１０（図１参照）を構成する機器と、室外機本体５の上部に設けられた送風機２３等を備えている。そして、室外機２は、送風機２３を作動させることによって室外機本体５の側面から空気を吸い込み、室外熱交換器１３によって冷媒との間で熱交換を行った後、室外機本体５の上方へ空気を吹き出すように構成されている。
【００２５】
室外機本体５は、略直方体形状に形成されており、底フレーム２６、支柱２７、横梁２８、側面パネル２９等を有している。底フレーム２６は、図３に示されるように平面視で四角形状に形成されている。また、本実施の形態の底フレーム２６の対向する２辺には、地面に接地する脚部２６ａ（図２参照）が設けられている。支柱２７は、断面形状が略Ｌ字状で上下方向に延伸して配置された長尺部材からなり、底フレーム２６の４隅に取り付けられている。また、図４に示されるように、前部側の２本の支柱２７の上端部と、後部側の２本の支柱２７の上端部は、それぞれ横梁２８により連結されている。この支柱２７の上端部及び横梁２８には、送風機２３を取り囲むベルマウス３０（図２参照）が取り付けられている。ベルマウス３０は、平面視で底フレーム２６と略同一の四角形状に形成されている。また、前後の横梁２８には一対の支持部材３７からなる支持台３１が架設されており、送風機２３のモータ２３ａにおける脚部２３ｂが支持台３１に取り付けられている。
【００２６】
室外熱交換器１３は、クロスフィンコイル式であり、アルミニウム製の多数のフィンを伝熱管が水平に貫通し、伝熱管を流れる冷媒と室外熱交換器１３を流通する空気との間で熱交換を行うように構成されている。室外熱交換器１３は、図３に示されるように、室外機本体５の１つの角部５Ａを除いた４つの側面に対向し、かつ４つの側面に沿うように略四角形状に屈曲されている。具体的に、室外熱交換器１３は、室外機本体５の前側の側面（前面）に沿う前熱交換部３２と、左側の側面に沿う左熱交換部３３と、後側の側面（後面）に沿う後熱交換部３４と、右側の側面に沿う右熱交換部３５とを有している。そして、前熱交換部３２と左熱交換部３３との間、左熱交換部３３と後熱交換部３４との間、及び後熱交換部３４と右熱交換部３５との間が略９０度に屈曲されている。なお、室外熱交換器１３の各熱交換部３２〜３５は、室外機本体５の側面に対して必ずしも平行に対向していなくてもよく、傾斜した状態で対向していてもよい。
【００２７】
前熱交換部３２の右側端部（室外熱交換器１３における一の側端部）３２ａと、右熱交換部３５の前側端部（同他の側端部）３５ａとの間には、開口部３６が設けられている。本実施の形態では、開口部３６が、右前側に配置された支柱２７によって２つに分けられており、以下の説明においては、室外機２の前面に配置された開口部３６を前開口部３６Ａといい、右側面に配置された開口部３６を右開口部３６Ｂという。
【００２８】
また、室外機本体５は、室外熱交換器１３の一の側端部３２ａと支柱２７との間、及びこの支柱２７と室外熱交換器１３の他の側端部３５ａとの間に、それぞれ側面パネル２９を着脱可能に備えており、この側面パネル２９によって前開口部３６Ａ及び右開口部３６Ｂがそれぞれ閉鎖されている。なお、図示はしていないが、室外機本体５の側面における室外熱交換器１３が配置された部分には、空気の流通が可能な格子状の枠やパネルが取り付けられていてもよい。
【００２９】
室外熱交換器１３が配置されていない室外機本体５の１つの角部５Ａには、圧縮機１１や四路切換弁１２、閉鎖弁１８，１９、電装品ユニット３８等の機器を配置するための機器配置領域Ｒが設定されている。機器配置領域Ｒは、室外熱交換器１３における前熱交換部３２の右側端部３２ａから後方に延びる仮想区画線α１と、右熱交換部３５の前側端部３５ａから左方向へ延びる仮想区画線α２と、角部５Ａに配置された室外機本体５の２側面（２枚の側面パネル２９）とによって囲まれた平面視四角形の範囲に設定されている。そして、この機器配置領域Ｒには、区画壁４０によって熱交換室４１と水平方向に区画された機械室３９が設けられている。
【００３０】
機械室３９内において、圧縮機１１は底フレーム２６上にボルト等によって固定されている。また、閉鎖弁１８，１９は、右前側の支柱２７に取り付けられた支持部材４５によって支持されている。電装品ユニット３８は、室外機２全体の制御基板や圧縮機１１の制御基板（インバータ基板）等を含んでいる。なお、図４には、機械室３９内の機器のうち、圧縮機１１、支持部材４５、及び電装品ユニット３８のみを示し、他を省略している。
【００３１】
区画壁４０は、室外熱交換器１３の一の側端部３２ａと他の側端部３５ａとの間に架設され、室外機本体５の上下方向の高さにわたって設けられている。具体的には、区画壁４０は、室外熱交換器１３における前熱交換部３２の右側端部３２ａから後方へ延びる側壁部４０ａと、室外熱交換器１３における右熱交換部３５の前側端部３５ａから左方向へ延びる後壁部４０ｂとを有している。また、後壁部４０ｂは、側壁部４０ａとの接続部においてやや前方へ傾斜した部分（傾斜壁部）４０ｃを有している。また、区画壁４０の上端部には上壁部（図示省略）が設けられており、この上壁部によって室外機本体５の上部から機械室３９内への雨等の浸入が防止されている。
【００３２】
図３に示されるように、室外熱交換器１３の一の側端部３２ａと支柱２７との間に形成された前開口部３６Ａは、所定の幅Ｗを有している。具体的に、この前開口部３６Ａの幅Ｗは、機械室３９内に配置された機器、特に圧縮機１１の幅よりも大きく形成されている。したがって、前開口部３６Ａを閉鎖している側面パネル２９を取り外すことによって、機械室３９に対して前開口部３６Ａを通して圧縮機１１を出し入れすることが可能である。そのため、圧縮機１１の交換やメンテナンスを容易に行うことができる。さらに、機械室３９は、室外機本体５の１つの角部５Ａに設けられているので、室外機本体５の外部から機械室３９内の機器への距離が近くなり、機械室３９内の機器に対するメンテナンスを容易に行うことができる。また、支持部材４５に支持された閉鎖弁１８，１９は、側面パネル２９を取り外すことによって前開口部３６Ａを介して前方に露出し、冷媒配管の接続や開閉操作を行うことができる。
【００３３】
前開口部３６Ａの幅Ｗは、室外機２の制御基盤等を含む電装品ユニット３８の幅に適合する幅に形成されており、この前開口部３６Ａに合わせて電装品ユニット３８が取り付けられている。具体的には、前開口部３６Ａの両側縁に位置する室外熱交換器１３の一の側端部３２ａと支柱２７とに電装品ユニット３８の幅方向両端部が取付ブラケット４６を介して取り付けられている。したがって、室外熱交換器１３の側端部３２ａと支柱２７とを利用して電装品ユニット３８を好適に機械室３９に取り付けることができる。
【００３４】
なお、上記においては前開口部３６Ａの幅Ｗが圧縮機１１を出し入れ可能な寸法に形成され、電装品ユニット３８が前開口部３６Ａに合わせて取り付けられているが、右開口部３６Ｂの幅が圧縮機１１を出し入れ可能な寸法に形成され、電装品ユニット３８が右開口部３６Ｂに合わせて取り付けられていてもよい。また、機械室３９内の機器の操作やメンテナンスは、右開口部３６Ｂを介して行うこともできる。
【００３５】
室外熱交換器１３の一の側端部３２ａには、Ｕ字状に湾曲する伝熱管１３ａが突出している。そして、室外熱交換器１３の側端部３２ａには、この伝熱管１３ａを覆うカバー部材４７が設けられている。カバー部材４７は、伝熱管１３ａを前後及び側方から取り囲むように断面コの字形状に形成されている。また、カバー部材４７は、室外熱交換器１３の上下方向の高さ全体にわたって設けられており、その下端部が底フレーム２６に固定され、上端部が前部側の横梁２８（図４参照）に固定されている。そして、カバー部材４７は、室外熱交換器１３から突出する伝熱管１３ａを覆うことで、この伝熱管１３ａにおいて発生した結露水等の水分が機械室３９内の部品に付着するのを防止している。
【００３６】
特に、本実施の形態においては、電装品ユニット３８の幅方向一側部がカバー部材４７の外面に取り付けられており、これによって伝熱管１３ａにおいて発生した結露水等の水分が電装品ユニット３８に付着するのを好適に防止することができる。また、カバー部材４７は、室外機本体５の上下方向にわたって設けられることによって室外機本体５の支柱としても機能しており、４本の支柱２７とともに室外機本体５の構造部材を構成し、室外機本体５の強度を高めている。
【００３７】
図９は、閉鎖弁１８，１９を示す側面図である。ガス側閉鎖弁１８及び液側閉鎖弁１９は、互いに大きさが異なるが略同一の構成を有している。これら閉鎖弁１８，１９は、略十字形状の流路が形成されたハウジング５０を有している。このハウジング５０の上部にはサービスポート５１が形成されている。サービスポート５１は、冷媒の封入や真空引き等を行うために使用される。ハウジング５０の下部には、室内機３側からの冷媒連絡配管１７ａ，１７ｂ（図１参照）を接続させる接続配管５２が下方に延伸して設けられている。ハウジング５０の後端には室外機２側の冷媒配管が接続されている。また、ハウジング５０の後部には支持部材４５に対して閉鎖弁１８，１９を固定するためのフランジ部５３が設けられている。ハウジング５０の前端には、閉鎖弁１８，１９を開閉操作するための操作ポート５４が設けられている。
【００３８】
図３〜図５に示されるように、閉鎖弁１８，１９を支持する支持部材４５は、その水平方向の一側部が支柱２７に対して片持ち状に取り付けられている。具体的には、支持部材４５は、閉鎖弁１８，１９を固定する固定部６０と、この固定部６０の基端部に設けられた複数の脚部６１，６２とからなり、この脚部６１，６２が支柱２７に取り付けられている。また、支持部材４５の固定部６０は、室外機本体５の前面に対して斜めに（約４５°）に傾斜した姿勢で設けられている。
【００３９】
以下、支持部材４５の詳細について説明する。図６は、閉鎖弁１８，１９用の支持部材４５を示す斜視図、図７は、支持部材４５の脚部６１，６２を示す平面図、図８は、支持部材４５の固定部６０を示す正面図である。
支持部材４５の固定部６０は、上下方向に沿った板面を有し、左右方向に長く形成された略長方形の板材からなり、その上縁部には、閉鎖弁１８，１９を嵌合させるための嵌合凹部６０ａ，６０ｂが形成されている。本実施の形態では、図８に示されるように、ガス側閉鎖弁１８を嵌合させる第１嵌合凹部６０ａと、液側閉鎖弁１９を嵌合させる第２嵌合凹部６０ｂとが形成されている。第１嵌合凹部６０ａは第２嵌合凹部６０ｂよりも深く下側に形成されている。第１嵌合凹部６０ａ及び第２嵌合凹部６０ｂの両側にはそれぞれ雌ねじ孔６０ｃが形成されている。そして、閉鎖弁１８，１９におけるハウジング５０の後部側を第１嵌合凹部６０ａ及び第２嵌合凹部６０ｂに嵌合させ、フランジ部５３に挿通した固定ボルト（図示省略）を固定部６０の雌ねじ孔６０ｃに螺合することによって閉鎖弁１８，１９が固定部６０に固定される。固定部６０の外周縁には、補強リブ６０ｄが屈曲形成されている。
【００４０】
図７に示されるように、支持部材４５の複数の脚部６１，６２は、固定部６０の基端部から水平方向（前後方向）に分岐し、断面略Ｌ字形状に形成された支柱２７の第１辺２７ａと第２辺２７ｂとにそれぞれ取り付けられている。具体的に、脚部６１，６２は、固定部６０の基端部から前方に分岐する第１脚部６１と、固定部６０の基端部から後方に分岐する第２脚部６２とからなっている。第１，第２脚部６１，６２には、ボルト７０を挿通するための孔６５（図６参照）が形成されている。そして、第１脚部６１が支柱２７の第１辺２７ａにボルト７０及びナット７１によって取り付けられ、第２脚部６２が支柱２７の第２辺２７ｂに対してボルト７０及びナット７１によって取り付けられている。なお、本実施の形態の第２脚部６２には、支柱２７の第２辺２７ｂに形成された孔やスリット（図示省略）に係止して仮止めするためのフック６６が折り曲げ形成されている。
【００４１】
図６及び図７に示されるように、第１脚部６１と第２脚部６２とは上下方向に並べて交互に形成されている。本実施の形態の支持部材４５には、２個の第１脚部６１と１個の第２脚部６２とが設けられ、これらが上下方向に交互に設けられている。したがって、支持部材４５の上部と下部とに第１脚部６１が設けられ、上下の第１脚部６１の間に第２脚部６２が設けられている。各第１脚部６１は第２脚部６２よりも上下方向の幅が小さいが、２個の第１脚部６１の上下方向の幅の合計と、第２脚部６２の上下方向の幅とは略同一とされている。また、上下の第１脚部６１の先端部は連接部６３によって相互に繋がれている。
【００４２】
図７に示されるように、第１脚部６１は、固定部６０の基端部から前側へ長く延びており、その先端部６１ａが支柱２７の第１辺２７ａに当接した状態で取り付けられている。これに対して第２脚部６２は、第１脚部６１よりも短く形成され、その略全体が支柱２７の第２辺２７ｂに当接した状態で取り付けられている。そのため、固定部６０は、支柱２７に対してやや後側に偏心した位置に取り付けられている。第１脚部６１における支柱２７の第１辺２７ａに対する当接面と、第２脚部６２における支柱２７の第２辺２７ｂに対する当接面とは、２７０°の相対角度θをもって配置されている。
【００４３】
支持部材４５を構成する固定部６０と脚部６１，６２とは１枚の板材を加工することによって形成されている。図１０は、支持部材４５の脚部６１，６２を加工する手順を説明する図である。特に、図１０（ａ）は、脚部６１，６２を折曲加工する前の板材の正面図、図１０（ｂ）は、脚部６１，６２を折曲加工した状態を示す、（ａ）におけるＡ−Ａ線断面に相当する断面図である。
【００４４】
図１０（ａ）に示されるように、支持部材４５の脚部６１，６２を加工するには、支持部材４５の形成材料（板材）に対して略コの字状の切り目６４を形成する。そして、図１０（ｂ）に示されるように、切り目６４の内側の部分と外側の部分とを互いに逆向きに折り曲げることによって第１脚部６１、第２脚部６２、及び連接部６３を形成する。このような手順で第１脚部６１、第２脚部６２、及び連接部６３を加工することによって、支持部材４５を１枚の板材から容易に形成することができ、さらに上下２つの第１脚部６１が連接部６３によって繋がれた構造を容易に形成することができる。
【００４５】
以上の構成において、本実施の形態の支持部材４５は、支柱２７に対して片持ち状に取り付けられているので、室外機本体５の底フレーム２６の上面に支持部材４５を取り付けるためのスペースを確保する必要がない。そのため、底フレーム２６上に搭載される圧縮機１１等の機器のレイアウトの自由度を高めることができる。
【００４６】
また、支持部材４５は、底フレーム２６の上方に間隔をあけて配置されるので、底フレーム２６上の機器に対してメンテナンス等の作業を行う際に、支持部材４５が邪魔になることを少なくすることができる。
また、支持部材４５が、支柱２７に対して片持ち状に取り付けられているので、支柱２７に対する支持部材４５の上下方向の取付位置の変更にも容易に対応することができ、閉鎖弁１８，１９の高さを容易に変更することが可能となっている。したがって、閉鎖弁１８，１９の取付高さが異なる異種の室外機に対して支持部材４５を流用（共用）することが可能となり、支持部材４５の汎用性を高めることができる。
【００４７】
支持部材４５は、水平方向に分岐する複数の第１，第２脚部６１，６２を備えているので、固定部６０に作用する水平方向（前後方向）の荷重を第１，第２脚部６１，６２によって好適に支持することができる。また、脚部６１，６２は、上下方向に並べて３個以上設けられていることによって、前後方向の荷重をバランスよく支持することができる。特に、前方に分岐する第１脚部６１と、後方に分岐する第２脚部６２とが上下方向に交互に配置されているので、前後方向の荷重をよりバランスよく支持することができるとともに、固定部６０に作用する垂直方向の荷重や、固定部６０の板面に沿った水平軸回りのモーメントも好適に支持可能である。また、前方に分岐する第１脚部６１が上端と下端との２箇所に設けられているので、固定部６０に対して前方へ付与される荷重をより好適に支持可能である。また、上下に離間する２個の第１脚部６１を連接部６３によって繋いでいるので、当該第１脚部６１同士を相互に補強することができる。
【００４８】
図３及び図５に示されるように、支持部材４５は、前開口部３６Ａが形成された室外機本体５の前面に対して斜め（約４５°）に傾斜して配置されているので、支持部材４５を前面側から見たときの左右方向の幅を可及的に小さくすることができ、支持部材４５が前開口部３６Ａを介して行われるメンテナンス等の作業の邪魔になるのを防止することができる。
【００４９】
図１１は、本発明の第２の実施の形態に係る支持部材の脚部を示す斜視図である。
本実施の形態の支持部材４５は、上下方向に３個の脚部６１，６２が設けられ、前方に分岐する２個の第１脚部６１と後方に分岐する１個の第２脚部６２とが上下方向に交互に設けられている点で、上記第１の実施の形態の支持部材４５と同様である。しかしながら、本実施の形態の支持部材４５には連接部６３が設けられておらず、各脚部６１，６２がそれぞれ独立した状態で設けられている。また、各脚部６１，６２は同一の長さに形成されており、よって支持部材４５の固定部６０は平面視において前後の脚部６１，６２の略中央部に位置している。
【００５０】
図１２は、支持部材４５の脚部６１，６２を加工する手順を説明する図である。なお、図１２（ａ）は、脚部６１，６２を折曲加工する前の板材の正面図、図１２（ｂ）は、脚部６１，６２を折曲加工した状態を示す、（ａ）におけるＢ−Ｂ線断面に相当する断面図である。本実施の形態では、支持部材４５の形成材料に対して上下２箇所の切り目６４を形成し、この切り目６４によって分断された部分を前後方向に折り返すことによって脚部６１，６２が形成される。
【００５１】
図１３は、本発明の第３の実施の形態に係る支持部材の脚部を示す斜視図である。
本実施の形態では、上下方向に４個の脚部６１，６２が並べて設けられており、前方へ分岐する２個の第１脚部６１と、後方へ分岐する２個の第２脚部６２とが上下方向に交互に配置されている。その他の構成は、第２の実施の形態と同様であり、略同様の加工工程によって脚部６１，６２を形成することができる。
【００５２】
図１４は、本発明の第４の実施の形態に係る支持部材の取付構造を示す平面図である。
既に説明した第１〜第３の実施の形態においては、断面形状が略Ｌ字形状の支柱２７に対して支持部材４５が取り付けられていたが、本実施の形態では、断面形状が四角形状（四角筒形状）の支柱２７に対して支持部材４５が取り付けられる例を示している。本実施の形態の脚部６１，６２は、支柱２７における隣接する２面に対して当接し、ボルト７０により固定されるように、第１脚部６１と第２脚部６２とが略９０°の相対角度θをもって配置されている。その他の構成は、上記第１〜第３の実施の形態の支持部材４５と同様に構成することができる。
【００５３】
図１５は、本発明の第５の実施の形態に係る支持部材の脚部を示す斜視図である。
本実施の形態の支持部材４５は、前方に分岐する第１脚部６１と、後方に分岐する第２脚部６２とが別々の部材によって構成されている点で、上記各実施の形態と異なっている。具体的には、一方の脚部（第２脚部）６２は固定部６０と一体に形成されているが、他方の脚部（第１脚部）６１は、固定部６０及び一方の脚部６２とは異なる板材によって形成され、溶接等によって接合されている。また、本実施の形態では、第１脚部６１と第２脚部６２とは、いずれも支持部材４５の上下方向の幅と同一の幅を有している。
本実施の形態においても、上記各実施の形態と略同様の作用効果を奏するものの、部品点数が多くなると共に、脚部６１の接合工程が必要となることから、これらの点に関しては上述した第１〜第４の実施の形態の支持部材４５の方が有利である。
【００５４】
本発明は、上記各実施の形態に限定されるものではなく、特許請求の範囲に記載された発明の範囲内において、適宜変更することが可能である。
例えば、閉鎖弁１８，１９を支持する支持部材４５は、支柱２７に限らず、カバー部材４７に取り付けることもできる。また、室外熱交換器１３自体が、室外機本体５の構造部材として機能している場合には、この室外熱交換器１３の一部、例えば管板等に対して支持部材４５を取り付けることもできる。いずれの場合においても、支持部材４５の取付箇所に応じて脚部６１，６２の形状を適宜変更することができる。
本発明は、上吹き出しタイプの室外機に限らず、横吹き出し型の室外機にも適用することができる。
【符号の説明】
【００５５】
１  空気調和装置
２  室外機
３  室内機
１８  ガス側閉鎖弁
１９  液側閉鎖弁
２７  支柱（構造部材）
４５  支持部材
６０  固定部
６１  第１脚部
６２  第２脚部
６３  連接部
【図１】
2013076519.tif 000003
【図２】
2013076519.tif 000004
【図３】
2013076519.tif 000005
【図４】
2013076519.tif 000006
【図５】
2013076519.tif 000007
【図６】
2013076519.tif 000008
【図７】
2013076519.tif 000009
【図８】
2013076519.tif 000010
【図９】
2013076519.tif 000011
【図１０】
2013076519.tif 000012
【図１１】
2013076519.tif 000013
【図１２】
2013076519.tif 000014
【図１３】
2013076519.tif 000015
【図１４】
2013076519.tif 000016
【図１５】
2013076519.tif 000017